(57)【要約】      （修正有）【課題】比較的軽量で装着した際にずれにくく、装着した状態でも動き易い防具を提供する。【解決手段】２個のサイドパッド３が、それぞれ防護パッド２の相対する両側に設けられ、各サイドパッドの厚さは、防護パッドに隣り合う箇所から防護パッドから離れた箇所へ漸減し、各接続パッドモジュール４は、少なくとも一つの接続パッド４１を備え、各接続パッドモジュールの接続パッドは、防護パッドのいずれかのサイドと対応するサイドパッドを接続し、且つ隣り合う防護パッド及びサイドパッドよりも薄く、可撓性部材で形成されている。【選択図】図１
0003215985.tif 000002
【実用新案登録請求の範囲】
【請求項１】
着用物に着脱可能に取り付けられる防具において、
前記防具は、防護パッドと２個のサイドパッドと前記サイドパッドを前記防護パッドに接続する２個の接続パッドモジュールとを備え、
前記防護パッドは、複数の防護部と、前記防護部よりも薄く且つ各前記防護部を接続する防護パッド接続部とを備え、各前記防護部には、それぞれ多角形の開口を呈し間隔をあけて配列された複数の緩衝孔が形成されており、前記２個のサイドパッドは、それぞれ前記防護パッドの相対する両側に設けられ、各前記サイドパッドの厚さは、前記防護パッドに隣り合う箇所から前記防護パッドから離れた箇所へ漸減し、
各前記接続パッドモジュールは、少なくとも一つの接続パッドを備え、各前記接続パッドモジュールの前記接続パッドは、前記防護パッドのいずれかのサイドと対応する前記サイドパッドを接続し、且つ隣り合う前記防護パッドと前記サイドパッドよりも薄く、前記接続パッドは可撓性部材で形成されていることを特徴とする
防具。
【請求項２】
各前記緩衝孔はそれぞれリブを介して隣り合い、且つ最も近い前記緩衝孔の間を接続する前記リブの幅は５ｍｍ〜８ｍｍであり、前記緩衝孔の形状は三角形から八角形のいずれかであることを特徴とする
請求項１に記載の防具。
【請求項３】
前記サイドパッドは、それぞれ前記防護パッドの左右両側に位置し、且つ前記防護部は上下に配列されることを特徴とする
請求項１又は２に記載の防具。
【請求項４】
前記サイドパッドは、それぞれ前記防護パッドの左右両側に位置し、且つ前記防護部はマトリックス状に配列されることを特徴する
請求項１又は２に記載の防具。
【請求項５】
各前記サイドパッドは、複数のサイドパッド部と、各前記サイドパッド部を接続する複数のサイドパッド接続部を備え、各前記サイドパッド接続部の厚さは隣り合う前記サイドパッド部よりも薄いことを特徴とする
請求項１又は２に記載の防具。
【請求項６】
各前記サイドパッドは、少なくとも一つの装着溝を備え、
前記防具は少なくとも２つの接合ベルトを備え、各前記接合ベルトはそれぞれ前記装着溝に接続される第１係合部と、前記第１係合部から更に延伸し、且つ、前記第１係合部と着脱可能に係合する第２係合部と、を有することを特徴とする
請求項１に記載の防具。
【考案の詳細な説明】
【技術分野】
【０００１】
本考案は防具に関し、特に比較的軽量で装着した際にずれにくく、装着した状態でも動き易い防具に関する。
【背景技術】
【０００２】
高齢者や怪我人は体が自分の意志どおりに動かないことがあり、その結果、転倒したり衝突したりする場合がある。このとき、肘や膝や尾てい骨等のように衝撃に弱い部分を直接硬い物や地面にぶつけると、骨折等の大怪我を負う場合がある。このような事態に対処するためには保護パッド（防具）を身に着けるのが一般的で効果的である。
【考案の概要】
【考案が解決しようとする課題】
【０００３】
しかし、一般に現在市場に出回っている保護パッドは重くて大きい部材を取り入れて作られており、そのため装着時にずれて落ちたり、特に夏場は暑苦しかったりと、継続して装着するのが不便であった。
【０００４】
本考案は、これらの問題に鑑みて、比較的軽量で装着した際にずれにくく、装着した状態でも動き易い防具を提供することを目的とする。
【課題を解決するための手段】
【０００５】
このような問題に鑑みて本考案は以下の構成を備える。
【０００６】
着用物に着脱可能に取り付けられる防具において、前記防具は、防護パッドと２個のサイドパッドと前記サイドパッドを前記防護パッドに接続する２個の接続パッドモジュールとを備え、前記防護パッドは、複数の防護部と、前記防護部よりも薄く、各前記防護部を接続する防護パッド接続部とを備え、各前記防護部には、それぞれ多角形の開口を呈し間隔をあけて配列された複数の緩衝孔が形成されており、前記２個のサイドパッドは、それぞれ前記防護パッドの相対する両側に設けられ、各前記サイドパッドの厚さは、前記防護パッドに隣合う箇所から前記防護パッドから離れた箇所へ漸減し、各前記接続パッドモジュールは、少なくとも一つの接続パッドを備え、各前記接続パッドモジュールの前記接続パッドは、前記防護パッドのいずれかのサイドと対応する前記サイドパッドを接続し、且つ隣り合う前記防護パッドと前記サイドパッドよりも薄く、前記接続パッドは可撓性部材で形成されている。
【考案の効果】
【０００７】
２個のサイドパッドは、それぞれ防護パッドの相対する両側に設けられ、各サイドパッドの厚さは、防護パッドに隣合う箇所から防護パッドから離れた箇所へ漸減し、各接続パッドモジュールは、少なくとも一つの接続パッドを備え、各接続パッドモジュールの接続パッドは、防護パッドのいずれかのサイドと対応するサイドパッドを接続し、且つ隣り合う防護パッドとサイドパッドよりも薄いので、比較的軽量で装着した際にずれにくく、装着した状態でも動き易い。
【図面の簡単な説明】
【０００８】
【図１】本考案の防具の第１の実施形態を示す正面図である。
【図２】本考案の第１の実施形態の側面図である。
【図３】本考案の第１の実施形態の正面図である。
【図４】緩衝孔が五角形の場合の正面図である。
【図５】緩衝孔が八角形の場合の正面図である。
【図６】本考案の第１の実施形態の防具を着用物に装着した説明図である。
【図７】本考案の防具の第２の実施形態を示す正面図である。
【図８】第２の実施形態の側面図である。
【図９】第２の実施形態の防具を着用物に装着した説明図である。
【図１０】本考案の防具の第３の実施形態を示す正面図である。
【図１１】第３の実施形態の側面図である。
【図１２】第３の実施形態の防具を着用物に装着した説明図である。
【考案を実施するための形態】
【０００９】
図１、図２、及び図３を参照して本考案の防具を説明する。ここで、図１は本考案の防具の第１の実施形態を示す正面図であり、図２は本考案の第１の実施形態の側面図であり、図３は本考案の第１の実施形態の正面図である。
【００１０】
本考案の防具の第１の実施形態は、図３に示す２組の組立部９１を有する着用物９に着脱可能に装着でき、主に股関節の保護に用いることができる。第１の実施形態は、防護パッド２と、この防護パッド２の両側にそれぞれ設けられた一対のサイドパッド３と、これら防護パッド２と各サイドパッド３を接続する一対の接続パッドモジュール４と、一対の接合ベルト５を備える。
【００１１】
防護パッド２は、図１に示されるように、上下方向に配列された複数の平板状の防護部２１と、防護部２１同士を接続する複数の防護パッド接続部２２を備える。
【００１２】
防護部２１は、本実施形態では上段、中段、下段の３段からなるよう３個配列されている。図１では一番上に配置された上段の防護部２１の形状は、上側が幅広にそして下に行くに従って左右対称に徐々に幅が狭くなり、且つ下側の略三分の一はほぼ一定の幅で下方向に延伸する。中段の防護部２１と下段の防護部２１は上下方向に長い略長方形である。
【００１３】
防護パッド接続部２２は、各防護部２１間にそれぞれ配置され、上下方向と直交する左右方向に延伸し、上段の防護部２１と中段の防護部２１を接続すると共に、中段の防護部２１と下段の防護部２１を接続する。
【００１４】
また、各防護部２１には、複数のリブ２１２によって、蜂の巣状に間隔をあけるようにそれぞれ配列された複数の緩衝孔２１１が画成される。各緩衝孔２１１は基本的には六角形であるが、縁に隣接する緩衝孔２１１は五角形や四角形に形成されている。ここで、各緩衝孔２１１を画成するリブ２１２の幅は例えば５ｍｍ〜８ｍｍである。各防護パッド接続部２２の厚さは隣り合う防護部２１よりも薄く形成されており、且つ可撓性部材で形成されている。
【００１５】
なお、緩衝孔２１１の形状は六角形以外の多角形でも差し支えなく例えば、三角形や四角形や五角形、七角形、八角形、更には円形でも良く、適宜設計変更しても良い。また、防護パッド２は軟質で弾性を具備する材料によって形成されることが好ましく、例えば、スチレン系の弾性体（例えば：ＳＢＳ、ＳＥＢＳ、ＳＩＳ、ＳＥＰＳ）や熱可塑性ポリウレタン（ＴＰＵ）、ポリエステル系熱可塑性エラストマー（ＴＰＥＥ）、ポリオレフィン系熱可塑性エラストマー（例えばＴＰＶ、ＴＰＯ）、熱可塑性加硫ゴムであっても良い。
【００１６】
また、防護パッド２は、発泡材料を用いて形成しても差し支えなく、例えば、エチレン酢酸ビニルコポリマー（ＥＶＡ）、ポリエチレン（ＰＥ）、ポリウレタン（ＰＵ）でも良い。
【００１７】
サイドパッド３は防護パッド２の左右両側にそれぞれ設けられる。また、各サイドパッド３の厚さは隣り合う防護パッド２に隣接する部分を最大の厚さとし、防護パッド２から遠ざかるにつれて徐々に薄くなる。
【００１８】
各サイドパッド３は、上下方向に配列され、上段、中段、下段の３段からなる３個のサイドパッド部３１を備える。また、上段に配置されたサイドパッド部３１と中段に配置されたサイドパッド部３１の間、及び中段に配置されたサイドパッド部３１と下段に配置されたサイドパッド部３１の間には、それぞれサイドパッド接続部３２が左右方向に延伸するように設けられる。ここで、各サイドパッド接続部３２の厚さは隣り合うサイドパッド部３１よりも薄い。また、サイドパッド接続部３２は可撓性部材で形成されている。更に、防護パッド接続部２２の延伸線はそれぞれサイドパッド接続部３２の延伸線と相互に重なる。サイドパッド３の材料は、防護パッド２と同様に軟質で弾性を有する材料で形成するか発泡材料で形成することが望ましい。また、各サイドパッド３には、装着溝３３が、上段、中段、下段に設けられたサイドパッド部３１を跨るように上下方向に延伸するよう形成されている。
【００１９】
各接続パッドモジュール４は、本実施形態においては４個の接続パッド４１を備える。各接続パッド４１は、防護パッド２の一方のサイドと対応するサイドパッド３を接続しており、厚さは隣り合う防護パッド２とサイドパッド３よりも薄く、接続パッド４１は可撓性部材で形成されている。
【００２０】
図３と図６を参照して説明する。ここで、図６は本考案の第１の実施形態の防具を着用物に装着した説明図である。接合ベルト５は、それぞれ装着溝３３を通過するよう設けられて装着溝３３に接続されている。各接合ベルト５は装着溝３３側で上下方向に延伸するように形成される第１係合部５１と、この第１係合部５１よりも装着溝３３から離れた側で上下方向に延伸する第２係合部５２を備える。
【００２１】
第１係合部５１と第２係合部５２は、着脱自在に係合することによって対応する組立部９１に着脱可能に装着されている。なお、接合ベルト５は繊維で形成することが好ましい。また、接合ベルト５は、例えば装着溝３３を通過する布であり、第１係合部５１と第２係合部５２はそれぞれ面ファスナーのフックとループである。ここで、組立部９１は着用物９の一部であり、具体的には細長い帯状の形状をしており、防具の左右両側に一本ずつ設けられている。
【００２２】
装着の方法としては、先ず、内側から外側へかけて、着用物９に取り付けられた組立部９１の下を潜らせるように接合ベルト５の第２係合部５２を通す。その後、第２係合部５２を内側に折り返して第１係合部５１と重ね合わせた後に両者を軽く押し付けることにより、面ファスナーのフックとループの機能を利用して固定する。
【００２３】
このように面ファスナーを用いて着用物９に防護パッド２を取り付けるので着脱が容易である。なお、フックとループの組み合わせは逆にしても差し支えない。また、面ファスナーを用いずとも、着用物９にしっかりと固定できさえすれば良い。
【００２４】
なお、装着溝３３と接合ベルト５はいずれも任意に選択可能な部材であり、防具としては装着溝３３と接合ベルト５を具備しなくても差し支えない。また、本実施例では帯状の組立部９１を２本用意したが、例えば着用物９に防護パッド２とサイドパッド３がそっくりそのまま入るような大型のポケットを設け、このポケットの中に防具一式を入れれば同様の効果を得られる。
【００２５】
着用物９は、好ましくは両足を通せる長ズボンであり、図６に示す様に左側に本実施形態の防具を装着すると同時に右側にも本実施形態の防具を装着する。長ズボンの右足と左足付近の股関節に防具を装着する。
【００２６】
第１係合部５１と第２係合部５２は着脱自在に係合して防具を着用物９に装着することにより、使用者が日常生活や運動時に転倒した場合でも、股関節への衝撃は、これらの防具によって緩和することができる。
【００２７】
図１、図２、図３、及び図６を参照した本実施形態において、優れた効果は以下の通りである。
【００２８】
第１に、複数のリブ２１２によって画成された複数の蜂の巣状の緩衝孔２１１を防護パッド２に設けたので、転倒したりぶつけたりしたとき、加わった衝撃に対して複数のリブ２１２が反作用を生ずるように折れ曲がって当該衝撃を複数の方向へ分散させることができ、衝撃を吸収し易い。また、複数の緩衝孔２１１があけられているので、通気性が良く放熱効果が高い。そのため、例えば夏場でも防具を装着したまま運動し易い。更に、緩衝孔２１１の部分は材料を必要としないので生産コストを下げることができると共に、軽量で動き易い。
【００２９】
防護パッド２の近傍から離れるにつれてサイドパッド３の厚さを薄くすることにより、フィット感が増し、防護パッド２の左右両側において使用者の身体と防具の間の隙間を小さくすることができ、転倒したりぶつけたりした際に段差が生ずることによって発生する問題を少なくできる。
【００３０】
防護パッド２とサイドパッド３とを接続するための接続パッドモジュール４の接続パッド４１を、防護パッド２及びサイドパッド３よりも薄く形成すると共に、可撓性材料によって形成するので、座ったり足を曲げたりする際に、可撓性材料からなる接続パッド４１の部分がこれらの動作に伴って折れ曲がり、日常生活や運動の際に邪魔になりにくい。
【００３１】
第１係合部５１と第２係合部５２を、それぞれ面ファスナーのフックとループによって構成したので、着脱し易い。更に、お年寄り等の怪我をし易い人々の大部分が、着脱が面倒なために防具を着用しないで転倒し、怪我をしている実情に鑑みると、自ら進んで防具を着用するようになり、防具不着用による怪我が減ると考えられる。
【００３２】
第２に、以下の効果がある。すなわち、防護パッド２の隣り合う緩衝孔２１１同士の間隔が狭すぎると防護パッド２の緩衝力が不十分となる一方、広すぎると反発力の相殺効果が小さくなるが、本考案による防護パッド２は、最良の保護効果を得られる５ｍｍ〜８ｍｍの幅のリブ２１２によって緩衝孔２１１が画成されているので、狭すぎず広すぎず、緩衝力が十分である。
【００３３】
第３に、防護パッド２は複数の防護部２１を備え、これらの防護部２１よりも厚さが薄くて可撓性のある防護パッド接続部２２がこれらの防護部２１同士を接続している。また、各サイドパッド３は、さまざまな形状のサイドパッド部３１を組み合わせて形成される。更に、可撓性を有する材料で形成されたサイドパッド接続部３２の厚さを薄く形成すると共に、これらのサイドパッド接続部３２でサイドパッド部３１を接続するので、柔軟性が高く、保護効果を維持しながらも日常生活に支障を生じにくい。
【００３４】
第４に、使用者は、装着溝３３に取り付けられた接合ベルト５を利用することにより、つまり、第１係合部５１と第２係合部５２とを着脱可能に係合させることにより、容易に防具を着脱できる。即ち、使用者は着用物９の左右両側に一本ずつ設けられた帯状の組立部９１を縫い付け、且つ、それぞれ面ファスナーのフックとループとして形成された第１係合部５１と第２係合部５２を、各組立部９１を介して係合させるだけで保護効果を得られるので、好みの色の着用物９を着ることができ、使用者が自ら進んで防具を装着することから、怪我の防止に役立つ。
【００３５】
第５に、各接合ベルト５の第１係合部５１は、一端が着脱可能に第２係合部５２に係合して接続され、他端が装着溝３３に取り付けられている。そして、第１係合部５１と第２係合部５２を係合することで防具を装着できる。すなわち、従来の防具と異なり防具を止めるためのバンドや紐の類を体に一回転巻きつけて固定する必要がないため、防具を装着後も締め付けられた感覚が殆ど無く動き易い。
【００３６】
図７、図８、図９は本考案の防具の第２の実施形態である。ここで、図７は本考案の防具の第２の実施形態を示す正面図であり、図８は第２の実施形態の側面図であり、図９は第２の実施形態の防具を着用物に装着した説明図である。
【００３７】
第２の実施形態は第１の実施形態と多くの部分が共通するが、異なる部分は以下の通りである。
【００３８】
第２の実施形態の防具は全体としてＵの字を逆さにしたような形状を有する。この第２の実施形態の防具は、図９に示す様にズボンの後側の尾てい骨付近に取り付けるため、尾てい骨や坐骨等の怪我の防止に役立つ。
【００３９】
複数の防護部２１はマトリックス状に配置されており、防護パッド接続部２２はマトリックス状に配置された複数の防護部２１をそれぞれ接続するように、上下方向及び左右方向に延伸する。ただし、図７及び図９に示す様に右下と左下の防護部２１は尾てい骨から太ももの裏の一部を覆うことができるように、股の間を避けるよう他の防護部２１よりも長めに形成されている。
【００４０】
各接続パッドモジュール４は、接続パッド４１を含み、この接続パッド４１で防護パッド２の両サイドをそれぞれ対応するサイドパッド３に接続する。
【００４１】
第２の実施形態でも第１の実施形態と同様の作用効果が得られる。
【００４２】
図１０〜図１２を参照して本考案の防具の第３の実施形態を説明する。ここで、図１０は本考案の防具の第３の実施形態を示す正面図であり、図１１は第３の実施形態の側面図であり、図１２は第３の実施形態の防具を着用物９に装着した説明図である。第３の実施例が第１の実施例と異なる点は以下の通りである。
【００４３】
防具の全体的な形状は図１１に示す様にドーム型であり、使用者の膝にかぶせるように着用物９に取り付けられる。そのため、膝及びその周辺の筋肉の損傷を軽減するのに適している。
【００４４】
左右両側の各サイドパッド３には、それぞれ２個の装着溝３３が形成されている。そして、これら４個の装着溝３３にはそれぞれ接合ベルト５が取り付けられる（図１２参照）。ここで、接合ベルト５を着用物９に取り付ける位置は、膝の上（腿側）と膝の下（すね側）である。このためドーム状の防具に膝が覆われた状態を保ちながら膝を曲げ伸ばしても膝を守る機能を発揮し得る。
【００４５】
また、この第３の実施形態でも、接続パッドモジュール４は、防護パッド２と左右両側に設けられたサイドパッド３を接続するように、上下方向に延伸する接続パッド４１を含む。第３の実施形態でも第１の実施形態と同様の作用効果を得られる。
【００４６】
以上のように、本考案の防具は軽量でありながら確かな保護効果を得られ、しかも装着した状態でも比較的動き易い。
【００４７】
以上の説明は、本考案の実施例に過ぎず、これを以って実用新案登録請求の範囲を限定するものではない。また、本考案の実用新案登録請求の範囲及び明細書の内容に簡単な付加や変化を加えたに過ぎないものについても、実用新案登録請求の範囲に記載された考案の技術的範囲に属するものとする。
【符号の説明】
【００４８】
２  防護パッド
２１  防護部
２１１  緩衝孔
２１２  リブ
２２  防護パッド接続部
３  サイドパッド
３１  サイドパッド部
３２  サイドパッド接続部
３３  装着溝
４  接続パッドモジュール
４１  接続パッド
５  接合ベルト
５１  第１係合部
５２  第２係合部
９  着用物
９１  組立部
【図１】
0003215985.tif 000003
【図２】
0003215985.tif 000004
【図３】
0003215985.tif 000005
【図４】
0003215985.tif 000006
【図５】
0003215985.tif 000007
【図６】
0003215985.tif 000008
【図７】
0003215985.tif 000009
【図８】
0003215985.tif 000010
【図９】
0003215985.tif 000011
【図１０】
0003215985.tif 000012
【図１１】
0003215985.tif 000013
【図１２】
0003215985.tif 000014